(57)【要約】      （修正有）【課題】ウィルス類を不活性化させることができ、そのための薬剤が安定した状態で必要時まで維持でき、かつ汚物をゲル化して処理しやすくする。【解決手段】折り畳み可能な不透水性フィルム材をもって形成され、開口部に所望の開口部形状が維持できる開口形成材７を一体に備えた汚物収容処理袋２と、汚物収容処理袋２内に収容された汚物処理材パック３とを同一の密封包装袋１内に収容し、汚物処理材パック２には、紛状又は粒状の高吸水性樹脂材、粉状又は粒状の多孔性吸着剤、水に反応して二酸化塩素を発生する二酸化塩素発生剤を収容し、密封包装袋１は、不透気不透湿性のフィルム状材料によって形成されている携帯用汚物収容処理具とする。【選択図】図１
2014239725.tif 000002
【特許請求の範囲】
【請求項１】
折り畳み可能な不透水性フィルム材をもって形成され、開口部に所望の開口部形状が維持できる開口形成材を一体に備えた汚物収容処理袋と、前記汚物収容処理袋内に収容された汚物処理材パックとを同一の密封包装袋内に収容し、
前記汚物処理材パックには、紛状又は粒状の高吸水性樹脂材、粉状又は粒状の多孔性吸着剤、水に反応して二酸化塩素を発生する二酸化塩素発生剤を収容し、
前記密封包装袋は、不透気不透湿性のフィルム状材料によって形成されていることを特徴としてなる携帯用汚物収容処理具。
【請求項２】
前記密封包装袋を構成する不透気不透湿性のフィルム状材料は、合成樹脂フィルムにアルミニウムを蒸着したフィルムである請求項１に記載の携帯用汚物収容処理具。
【請求項３】
前記二酸化塩素発生剤は、亜塩素酸ナトリウムとジクロロイソシアヌル酸ナトリウムの混合物である請求項１又は２に記載の携帯用汚物収容処理具。
【請求項４】
前記汚物処理材パックは、水溶性材料からなる袋材内に収容されている請求項１〜３の何れか１に記載の携帯用汚物収容処理具。
【発明の詳細な説明】
【技術分野】
【０００１】
本発明は、例えば自動車内や非常袋に常備し、緊急時や非常時の大小便や嘔吐物を収容して処理する携帯用汚物収容処理具に関する。
【背景技術】
【０００２】
従来、自動車による長距離ドライブにおいて車内での排便に使用するものや、災害時などの異常事態時に備えて常備するもの等として携帯用トイレが提案されている。
【０００３】
従来の携帯用トイレは、汚物を収容する袋と、収容した汚物を吸水材によってゲル化させ、一時的保管を容易にしたものが一般的であり、排泄時における袋内への落下を容易にしたものや、袋内に収容した汚物が流れ出難くなるように工夫したものがある（例えば特許文献１，２）。
【先行技術文献】
【特許文献】
【０００４】
【特許文献１】特開２００３−２６５３５６号公報
【特許文献２】実用新案登録第３１７４３８３号公報
【発明の概要】
【発明が解決しようとする課題】
【０００５】
しかしながら、上述の如き従来の携帯用トイレでは、収容した汚物の漏出や、一時保管に便ならしめるために、逆流防止や汚物を高吸水性樹脂粉によってゲル化するようにしているが、一般に、大便中には多種類の細菌やウィルスが存在しており、特にノロウィルスにおいては、空気感染するものであるため、単に袋内に収容し、脱水するのみでは、ウィルス感染を防止できない。
【０００６】
また、便や嘔吐物は、強い臭気を発する場合が多く、臭気もれ対策も万全ではなかった。
【０００７】
本発明はこのような従来の状況に鑑み、ウィルスを不活化させることができ、そのための薬剤が安定した状態で必要時まで維持でき、かつ汚物をゲル化して処理しやすくした携帯用汚物収容処理具の提供を目的としてなされたものである。
【課題を解決するための手段】
【０００８】
上述の如き従来の問題を解決するための請求項1に記載の発明の特徴は、  折り畳み可能な不透水性フィルム材をもって形成され、開口部に所望の開口部形状が維持できる開口形成材を一体に備えた汚物収容処理袋と、前記汚物収容処理袋内に収容された汚物処理材パックとを同一の密封包装袋内に収容し、前記汚物処理材パックには、紛状又は粒状の高吸水性樹脂材、粉状又は粒状の多孔性吸着剤、水に反応して二酸化塩素を発生する二酸化塩素発生剤を収容し、前記密封包装袋は、不透気不透湿性のフィルム状材料によって形成されている携帯用汚物収容処理具にある。
【０００９】
請求項２に記載の発明の特徴は、請求項１の構成に加え、前記密封包装袋を構成する不透気不透湿性のフィルム状材料は、合成樹脂フィルムにアルミニウムを蒸着したフィルムであることにある。
【００１０】
請求項３に記載の発明の特徴は、請求項１又は２の構成に加え、前記二酸化塩素発生剤は、亜塩素酸ナトリウムとジクロロイソシアヌル酸ナトリウムの混合物であることにある。
【００１１】
請求項４に記載の発明の特徴は、請求項１〜３の何れか１の構成に加え、前記汚物処理材パックは、水溶性材料からなる袋材内に収容されていることにある。
【発明の効果】
【００１２】
本発明に係る携帯用汚物収容処理具は、請求項1に記載のように、折り畳み可能な不透水性フィルム材をもって形成され、開口部に所望の開口部形状が維持できる開口形成材を一体に備えた汚物収容処理袋と、前記汚物収容処理袋内に収容された汚物処理材パックとを同一の密封包装袋内に収容し、前記汚物処理材パックには、紛状又は粒状の高吸水性樹脂材、粉状又は粒状の多孔性吸着剤、水に反応して二酸化塩素を発生する発生剤を収容し、前記密封包装袋は、不透気不透湿性のフィルム状材料によって形成したことにより、水を含んだ汚物が投入されたときに、その汚物に含まれているノロウィルスを不活化させ、空気感染の発生が防止される。
【００１３】
また、二酸化塩素発生剤を収容した密封包装袋が、不透気不透湿性のフィルム状材料によって形成されていることにより、亜塩素酸ナトリウムとジクロロイソシアヌル酸ナトリウムの混合物を使用した二酸化塩素発生剤の安定な状態を長期間に亘って維持させることができる。
【００１４】
本発明は、請求項２に記載のように、前記密封包装袋を構成する不透気不透湿性のフィルム状材料は、合成樹脂フィルムにアルミニウムを蒸着したフィルムを使用したことにより、不透気・不透湿のフィルムが容易に入手できる。
【００１５】
本発明は、請求項３に記載のように前記二酸化塩素発生剤は、亜塩素酸ナトリウムとジクロロイソシアヌル酸ナトリウムの混合物を使用していることにより、二酸化塩素を、使用時に容易かつ確実に発生させることができる。
【００１６】
本発明は、請求項４に記載のように、前記汚物処理材パックは、水溶性材料からなる袋材内に収容されていることにより、所定の割合に混合させた薬剤の包装袋内への同封入作業が容易となる。
【図面の簡単な説明】
【００１７】
【図１】本発明に係る携帯用汚物収容処理具の全様を示す説明図である。
【発明を実施するための形態】
【００１８】
次に、本発明に係る携帯用汚物収容処理具の実施の態様を図１に示した実施例に基づいて説明する。この携帯用汚物収容処理具は、密封包装袋１内に、内容物として汚物収容処理袋２、汚物処理材パック３、樹脂フィルム製の使い捨て手袋４、使用後用の汚染物収容袋５が収容されている。
【００１９】
汚物収容処理袋２、使い捨て手袋４及び汚染物収容袋５は、図には示してないが、密封包装袋１内に収納できる大きさに平らに折りたたんだ状態で収容する。
【００２０】
密封包装用袋１は、樹脂フィルムにアルミニウム膜を蒸着させた不透気・不透湿性の材料によって構成されており、上記内容物を収容して密封した状態では、気体及び液体を完全に遮断できる不透気・不透湿性を持たせている。アルミニウムに限らず、他の金属蒸着によって同様の不透気・不透湿性を持たせたものであってもよい。
【００２１】
汚物収容処理袋２は、図に示すように、有底筒状の合成樹脂フィルムによって形成された袋本体６と、該袋本体６の開口縁に一体化させた開口形成材７とから構成されている。
【００２２】
袋本体６内の開口部よりやや底部寄りには先すぼまりのテーパー状をした汚物ガイド兼用の逆流防止筒８がテーパーの広径側を上側にし、これを袋本体６の内周面に一体化させて取り付けられており、汚物を収容した状態で水平方向に傾けた際に、逆止め弁的に作用して汚物が袋本体６の開口部側に流れ出ないようにしている。
【００２３】
袋本体６の開口形成材７は、発泡ポリウレタン製の板状材を上側がやや広がったラッパ状に成形し、これを袋本体６と共に、密封包装袋１内に入る大きさに平たく折りたたんだ状態で収容する。
【００２４】
開口形成材７の形状は、使用時に開口部を舟形状に広げた状態で、女性の肛門と尿道開口部とが共に覆われる形状が好ましい。
【００２５】
汚物処理材パック３は、紛状又は粒状のポリアクリル酸ナトリウム等の高吸水性樹脂材、粉状又は粒状の天然ゼオライト、酸化ケイ素又は酸化アルミニウム等の多孔質物質であって匂い粒子を吸着する吸着剤、水に反応して二酸化塩素を発生する二酸化塩素発生剤を水溶性のシート状材製の袋内に収容し、平らな板状に成形したものを使用する。
【００２６】
この他、水溶性シート間に上記各材料を挟み込み、加圧することによって板状に成形したものや、前記各材料にデンプンなどの水溶性食物繊維を粉状にして混合し、これを保形材として板状に成形したものであってもよい。
【００２７】
二酸化塩素発生剤には、亜塩素酸ナトリウムとジクロロイソシアヌル酸ナトリウムの混合物を使用する。二酸化塩素発生剤は、水と反応することで二酸化塩素を発生させるが、空気中の水分によっても反応する。この例では、調湿性を有するゼオライトに担持されたものを不透気・不透湿性の密封包装袋１に入れることによって、空気中の水分が遮断され、二酸化塩素発生剤が安定した状態で維持される。
【００２８】
このように構成される携帯用汚物収容処理具は、前述したように密封包装袋１内に、前述した汚物収容処理袋２、汚物処理材パック３、樹脂フィルム製の使い捨て手袋４、使用後用の汚染物収容袋５を収容し、不透気・不透湿性を維持させた状態で密封する。この時、汚物収容処理袋２、汚物処理材パック３、使い捨て手袋４、汚染物収容袋５は、折りたたんだ状態で収容しておく。
【００２９】
使用に際しては、密封包装袋１内から収容物を取り出し、汚物収容処理袋２の開口形成材７を開き、汚物処理材パック３を汚物収容処理袋１の最奥部に入れる。
【００３０】
この状態で、開口部形成材７を使用者に合わせて適宜の形状に広げ、その開口部より、大便、小便或は吐瀉物等の汚物を落とし込む。落とし込まれた汚物は、これに含まれている水分が汚物処理材パック３の水溶性のフィルム或は保形材を溶かし、高吸水性樹脂材に吸収される。
【００３１】
また、汚物の水成分が亜塩素酸ナトリウムとジクロロイソシアヌル酸ナトリウムの混合物に反応して二酸化塩素が発生し、これによってウィルス類を不活性化させる。
【００３２】
更に、臭気成分は二酸化塩素による酸化分解によって、汚物から出る不快な臭気の拡散が防止される。
【００３３】
このようにして汚物が処理されて収容された汚物収容処理袋２を、使用した使い捨て手袋と共に汚染物収容袋５に入れて、廃棄又は廃棄のために保管する。
【符号の説明】
【００３４】
１  密封包装袋
２  汚物収容処理袋
３  汚物処理材パック
４  使い捨て手袋
５  汚染物収容袋
６  袋本体
７  開口形成材
８  逆流防止筒
【図１】
2014239725.tif 000003